(57)【要約】【課題】Ｑ値を用いた測定対象の良否検査における検査精度の向上が可能なＱ値を算出する。【解決手段】測定対象の直流抵抗値Ｒｄ１を４端子法で測定する第１測定部１１と、測定対象の直流抵抗値Ｒｄ２を２端子法で測定する第２測定処理、並びに測定対象の交流抵抗値Ｒａおよびインダクタンス値Ｌをそれぞれ２端子法で測定する第３測定処理を実行する第２測定部１２と、直流抵抗値Ｒｄ１、直流抵抗値Ｒｄ２、交流抵抗値Ｒａおよびインダクタンス値Ｌに基づいて測定対象のＱ値を算出する処理部１７とを備え、処理部１７は、直流抵抗値Ｒｄ２および直流抵抗値Ｒｄ１を用いて交流抵抗値Ｒａを補正した補正抵抗値を用いてＱ値を算出する第１処理、交流抵抗値Ｒａを用いてＱ値を算出する第２処理、およびＱ値を算出することなくその旨を報知する第３処理のいずれか１つを、複数回の第２測定処理によって測定された各直流抵抗値Ｒｄ２の変化状態に応じて実行する。【選択図】図１
2019090757.tif 000002
【特許請求の範囲】
【請求項１】
測定対象の直流抵抗値を第１直流抵抗値として４端子法で測定する第１測定処理を実行する第１測定部と、前記測定対象の直流抵抗値を第２直流抵抗値として２端子法で測定する第２測定処理、並びに当該測定対象の交流抵抗値およびインダクタンス値をそれぞれ２端子法で測定する第３測定処理を実行する第２測定部と、前記第１直流抵抗値、前記第２直流抵抗値、前記交流抵抗値および前記インダクタンス値に基づいて前記測定対象のＱ値を算出する処理を実行可能な処理部とを備えた処理装置であって、
前記第２測定部は、前記第２測定処理を複数回実行し、
前記処理部は、前記各第２測定処理によって測定された前記各第２直流抵抗値の変化状態を特定すると共に、前記第２直流抵抗値に基づいて規定した第３直流抵抗値と前記第１直流抵抗値との差分値を用いて前記交流抵抗値を補正する補正処理を実行して得た補正抵抗値を用いて前記Ｑ値を算出する第１処理、前記交流抵抗値を用いて前記Ｑ値を算出する第２処理、および前記Ｑ値を算出することなく当該Ｑ値を算出しない旨を報知する第３処理のいずれか１つを前記変化状態に応じて実行する処理装置。
【請求項２】
前記処理部は、前記変化状態としての前記各第２直流抵抗値の最大値と最小値との差である第１変動幅が予め設定された第１閾値以下である第１状態のときに当該各第２直流抵抗値に基づいて前記第３直流抵抗値を規定して前記第１処理を実行し、前記第１変動幅が前記閾値よりも大きいときに前記第２処理を実行する請求項１記載の処理装置。
【請求項３】
前記処理部は、前記変化状態としての前記各第２直流抵抗値の最大値と最小値との差である第１変動幅が予め設定された第１閾値以下である第１状態のときに当該各第２直流抵抗値に基づいて前記第３直流抵抗値を規定して前記第１処理を実行し、前記第１変動幅が前記閾値よりも大きいときに前記第３処理を実行する請求項１記載の処理装置。
【請求項４】
前記処理部は、前記各第２直流抵抗値の最小値を前記第３直流抵抗値として規定する請求項１から３のいずれかに記載の処理装置。
【請求項５】
前記処理部は、前記変化状態としての前記各第２直流抵抗値の一部であって時間的に互いに隣接する複数の第２直流抵抗値の最大値と最小値との差である第２変動幅が予め設定された第２閾値以下である第２状態となったとき以降に測定された前記第２直流抵抗値に基づいて前記第３直流抵抗値を規定して前記第１処理を実行し、前記第２測定部による前記複数回の第２測定処理が終了するまでに前記第２状態とならなかったときに前記第２処理を実行する請求項１記載の処理装置。
【請求項６】
前記処理部は、前記変化状態としての前記各第２直流抵抗値の一部であって時間的に互いに隣接する複数の第２直流抵抗値の最大値と最小値との差である第２変動幅が予め設定された第２閾値以下である第２状態となったとき以降に測定された前記第２直流抵抗値に基づいて前記第３直流抵抗値を規定して前記第１処理を実行し、前記第２測定部による前記複数回の第２測定処理が終了するまでに前記第２状態とならなかったときに前記第３処理を実行する請求項１記載の処理装置。
【請求項７】
前記処理部は、前記第２状態となったとき以降に測定された前記第２直流抵抗値の最小値を前記第３直流抵抗値として規定する請求項５または６記載の処理装置。
【請求項８】
前記処理部は、前記補正処理において、前記差分値に予め規定された０以上１以下の係数を乗じて得た値を前記交流抵抗値から差し引いて当該交流抵抗値を補正する請求項１から７のいずれかに記載の処理装置。
【請求項９】
前記処理部は、前記差分値が予め設定された設定値よりも大きいときに前記第１処理を実行し、前記差分値が前記設定値以下のときには前記第２処理および前記第３処理のいずれか一方を実行する請求項１から８のいずれかに記載の処理装置。
【請求項１０】
請求項１から９のいずれかに記載の処理装置と、当該処理装置によって算出された前記Ｑ値に基づいて前記測定対象の良否を検査する検査部とを備えた検査装置。
【請求項１１】
測定対象の直流抵抗値を第１直流抵抗値として４端子法で測定する第１測定処理、前記測定対象の直流抵抗値を第２直流抵抗値として２端子法で測定する第２測定処理、並びに当該測定対象の交流抵抗値およびインダクタンス値をそれぞれ２端子法で測定する第３測定処理を実行し、前記第１直流抵抗値、前記第２直流抵抗値、前記交流抵抗値および前記インダクタンス値に基づいて前記測定対象のＱ値を算出する処理を実行する処理方法であって、
前記第２測定処理を複数回実行し、
前記各第２測定処理によって測定された前記各第２直流抵抗値の変化状態を特定すると共に、前記第２直流抵抗値に基づいて規定した第３直流抵抗値と前記第１直流抵抗値との差分値を用いて前記交流抵抗値を補正する補正処理を実行して得た補正抵抗値を用いて前記Ｑ値を算出する第１処理、前記交流抵抗値を用いて前記Ｑ値を算出する第２処理、および前記Ｑ値を算出することなく当該Ｑ値を算出しない旨を報知する第３処理のいずれか１つを前記変化状態に応じて実行する処理方法。
【発明の詳細な説明】
【技術分野】
【０００１】
本発明は、測定対象のＱ値を算出する算出処理を実行する処理装置、Ｑ値に基づいて測定対象を検査する検査方法、および測定対象のＱ値を算出する算出処理を実行する処理方法に関するものである。
【背景技術】
【０００２】
この種の処理装置として、下記特許文献１において出願人が開示したインピーダンス測定装置が知られている。このインピーダンス測定装置は、コントローラ、第１測定手段および第２測定手段を備え、インダクタ素子のＱ値を算出すると共にＱ値に基づいてインダクタ素子の良否を判定可能に構成されている。この場合、第１測定手段は、直流信号を用いた４端子測定法でインダクタ素子の直流抵抗値Ｒｄｃ４を測定する。また、第２測定手段は、直流信号を用いた２端子測定法でインダクタ素子の直流抵抗値Ｒｄｃ２を測定すると共に、高周波信号を用いた２端子測定法でインダクタ素子の実効抵抗値Ｒｓおよびインダクタンス値Ｌを測定する。また、コントローラは、第１測定手段および第２測定手段を制御すると共に、各測定値Ｒｄｃ４，Ｒｄｃ２，Ｒｓ，Ｌを用いて算出したＱ値に基づいてインダクタ素子の良否を判定する。このインピーダンス測定装置では、第２測定手段が２端子測定法で測定を行う際の測定用のプローブの接触抵抗値Ｒｃの影響を低減させるため、Ｒｄｃ２とＲｄｃ４との差分値を接触抵抗値Ｒｃ（Ｒｃ＝Ｒｄｃ２−Ｒｄｃ４）として求め、実効抵抗値Ｒｓを接触抵抗値Ｒｃで補正し、その補正値Ｒｓ’（Ｒｓ’＝Ｒｓ−Ｒｃ）を用いてＱ値を算出している。
【先行技術文献】
【特許文献】
【０００３】
【特許文献１】特開２０１５−１２５１３５号公報（第５−８頁、第１−２図）
【発明の概要】
【発明が解決しようとする課題】
【０００４】
ところが、上記のインピーダンス測定装置には、改善すべき以下の課題がある。具体的には、上記のインピーダンス測定装置では、第２測定手段が、実効抵抗値Ｒｓの測定前および測定後のいずれか一方において直流抵抗値Ｒｄｃ２の測定を１回だけ実行し、その直流抵抗値Ｒｄｃ２から求めた接触抵抗値Ｒｃで実効抵抗値Ｒｓを補正している。この場合、直流抵抗値Ｒｄｃ２の測定時刻における接触抵抗値Ｒｃと実効抵抗値Ｒｓの測定時刻における接触抵抗値Ｒｃとが異なるとき、つまり、両測定時刻の間に接触抵抗値Ｒｃが変化したときには、実際の接触抵抗値Ｒｃとは異なる接触抵抗値Ｒｃで実効抵抗値Ｒｓを補正したこととなり、このときには、Ｑ値を正確に算出することが困難となる。特に、実効抵抗値Ｒｓの測定時刻における接触抵抗値Ｒｃの方が直流抵抗値Ｒｄｃ２の測定時刻における接触抵抗値Ｒｃよりも小さいときには、接触抵抗値Ｒｃを含まない実際の実効抵抗値Ｒｓよりも補正値Ｒｓ’（補正後の実効抵抗値Ｒｓ）の方が小さくなり、Ｑ値（ωＬ／Ｒｓ’）が実際の値よりも大きくなる結果、Ｑ値に基づくインダクタ素子の検査の際に、実際にはＱ値が小さい不良のインダクタ素子を良品と判定するおそれがある。
【０００５】
本発明は、かかる改善すべき課題に鑑みてなされたものであり、Ｑ値を用いた測定対象の良否検査における検査精度の向上が可能なＱ値を算出し得る処理装置、検査装置および処理方法を提供することを主目的とする。
【課題を解決するための手段】
【０００６】
上記目的を達成すべく請求項１記載の処理装置は、測定対象の直流抵抗値を第１直流抵抗値として４端子法で測定する第１測定処理を実行する第１測定部と、前記測定対象の直流抵抗値を第２直流抵抗値として２端子法で測定する第２測定処理、並びに当該測定対象の交流抵抗値およびインダクタンス値をそれぞれ２端子法で測定する第３測定処理を実行する第２測定部と、前記第１直流抵抗値、前記第２直流抵抗値、前記交流抵抗値および前記インダクタンス値に基づいて前記測定対象のＱ値を算出する処理を実行可能な処理部とを備えた処理装置であって、前記第２測定部は、前記第２測定処理を複数回実行し、前記処理部は、前記各第２測定処理によって測定された前記各第２直流抵抗値の変化状態を特定すると共に、前記第２直流抵抗値に基づいて規定した第３直流抵抗値と前記第１直流抵抗値との差分値を用いて前記交流抵抗値を補正する補正処理を実行して得た補正抵抗値を用いて前記Ｑ値を算出する第１処理、前記交流抵抗値を用いて前記Ｑ値を算出する第２処理、および前記Ｑ値を算出することなく当該Ｑ値を算出しない旨を報知する第３処理のいずれか１つを前記変化状態に応じて実行する。
【０００７】
また、請求項２記載の処理装置は、請求項１記載の処理装置において、前記処理部は、前記変化状態としての前記各第２直流抵抗値の最大値と最小値との差である第１変動幅が予め設定された第１閾値以下である第１状態のときに当該各第２直流抵抗値に基づいて前記第３直流抵抗値を規定して前記第１処理を実行し、前記第１変動幅が前記閾値よりも大きいときに前記第２処理を実行する。
【０００８】
また、請求項３記載の処理装置は、請求項１記載の処理装置において、前記処理部は、前記変化状態としての前記各第２直流抵抗値の最大値と最小値との差である第１変動幅が予め設定された第１閾値以下である第１状態のときに当該各第２直流抵抗値に基づいて前記第３直流抵抗値を規定して前記第１処理を実行し、前記第１変動幅が前記閾値よりも大きいときに前記第３処理を実行する。
【０００９】
また、請求項４記載の処理装置は、請求項１から３のいずれかに記載の処理装置において、前記処理部は、前記各第２直流抵抗値の最小値を前記第３直流抵抗値として規定する。
【００１０】
また、請求項５記載の処理装置は、請求項１記載の処理装置において、前記処理部は、前記変化状態としての前記各第２直流抵抗値の一部であって時間的に互いに隣接する複数の第２直流抵抗値の最大値と最小値との差である第２変動幅が予め設定された第２閾値以下である第２状態となったとき以降に測定された前記第２直流抵抗値に基づいて前記第３直流抵抗値を規定して前記第１処理を実行し、前記第２測定部による前記複数回の第２測定処理が終了するまでに前記第２状態とならなかったときに前記第２処理を実行する。
【００１１】
また、請求項６記載の処理装置は、請求項１記載の処理装置において、前記処理部は、前記変化状態としての前記各第２直流抵抗値の一部であって時間的に互いに隣接する複数の第２直流抵抗値の最大値と最小値との差である第２変動幅が予め設定された第２閾値以下である第２状態となったとき以降に測定された前記第２直流抵抗値に基づいて前記第３直流抵抗値を規定して前記第１処理を実行し、前記第２測定部による前記複数回の第２測定処理が終了するまでに前記第２状態とならなかったときに前記第３処理を実行する。
【００１２】
また、請求項７記載の処理装置は、請求項５または６記載の処理装置において、前記処理部は、前記第２状態となったとき以降に測定された前記第２直流抵抗値の最小値を前記第３直流抵抗値として規定する。
【００１３】
また、請求項８記載の処理装置は、請求項１から７のいずれかに記載の処理装置において、前記処理部は、前記補正処理において、前記差分値に予め規定された０以上１以下の係数を乗じて得た値を前記交流抵抗値から差し引いて当該交流抵抗値を補正する。
【００１４】
また、請求項９記載の処理装置は、請求項１から８のいずれかに記載の処理装置において、前記処理部は、前記差分値が予め設定された設定値よりも大きいときに前記第１処理を実行し、前記差分値が前記設定値以下のときには前記第２処理および前記第３処理のいずれか一方を実行する。
【００１５】
また、請求項１０記載の検査装置は、請求項１から９のいずれかに記載の処理装置と、当該処理装置によって算出された前記Ｑ値に基づいて前記測定対象の良否を検査する検査部とを備えた。
【００１６】
また、請求項１１記載の処理方法は、測定対象の直流抵抗値を第１直流抵抗値として４端子法で測定する第１測定処理、前記測定対象の直流抵抗値を第２直流抵抗値として２端子法で測定する第２測定処理、並びに当該測定対象の交流抵抗値およびインダクタンス値をそれぞれ２端子法で測定する第３測定処理を実行し、前記第１直流抵抗値、前記第２直流抵抗値、前記交流抵抗値および前記インダクタンス値に基づいて前記測定対象のＱ値を算出する処理を実行する処理方法であって、前記第２測定処理を複数回実行し、前記各第２測定処理によって測定された前記各第２直流抵抗値の変化状態を特定すると共に、前記第２直流抵抗値に基づいて規定した第３直流抵抗値と前記第１直流抵抗値との差分値を用いて前記交流抵抗値を補正する補正処理を実行して得た補正抵抗値を用いて前記Ｑ値を算出する第１処理、前記交流抵抗値を用いて前記Ｑ値を算出する第２処理、および前記Ｑ値を算出することなく当該Ｑ値を算出しない旨を報知する第３処理のいずれか１つを前記変化状態に応じて実行する。
【発明の効果】
【００１７】
請求項１記載の処理装置、請求項１０記載の検査装置、および請求項１１記載の処理方法では、複数回の第２測定処理によって測定された各第２直流抵抗値の変化状態を特定し、交流抵抗値を補正した補正抵抗値を用いてＱ値を算出する第１処理、交流抵抗値を用いてＱ値を算出する第２処理、およびＱ値を算出することなくＱ値を算出しない旨を報知する第３処理のいずれか１つを各第２直流抵抗値の変化状態に応じて実行する。この場合、測定対象に対する測定用のプローブの接触状態が不良で、接触抵抗値が時間経過に伴って変化する場合において、第２直流抵抗値に含まれる接触抵抗値が交流抵抗値に含まれる接触抵抗値よりも大きいときには、その第２直流抵抗値を用いて補正した補正抵抗値が、測定対象の実際の交流抵抗値よりも小さい値となることがあり、この補正抵抗値を用いて算出したＱ値の算出値が測定対象の実際のＱ値よりも大きな値となる結果、実際にはＱ値が小さい不良の測定対象を良品と誤判定するおそれがある。これに対して、この処理装置、検査装置および処理方法では、各第２直流抵抗値の変化状態応じて第１処理、第２処理および第３処理を使い分けるため、補正した補正抵抗値が測定対象の実際の交流抵抗値よりも小さい値となる可能性が低いときだけ補正抵抗値を用いてＱ値を算出する第１処理を実行することで、算出したＱ値が測定対象の実際のＱ値よりも大きな値となり、実際にはＱ値が小さい不良の測定対象が良品と誤判定される事態を確実に防止することが可能となっている。したがって、この処理装置、検査装置および処理方法によれば、Ｑ値を用いた測定対象の良否検査における検査精度を十分に向上させることが可能なＱ値を算出することができる。
【００１８】
また、請求項２記載の処理装置、および請求項１０記載の検査装置では、各第２直流抵抗値の第１変動幅が第１閾値以下のときに第１処理を実行し、第１変動幅が第１閾値よりも大きいときに第２処理を実行する。したがって、この処理装置、検査装置および処理方法によれば、第２直流抵抗値の第１変動幅が第１閾値以下で接触抵抗値の時間的な変化が小さく、補正処理を実行することによって補正抵抗値が測定対象の実際の交流抵抗値よりも小さい値となる可能性が低いときだけ、第１処理を実行するため、補正抵抗値を用いて算出したＱ値の算出値が測定対象の実際のＱ値よりも大きな値となり、実際にはＱ値が小さい不良の測定対象が良品と誤判定される事態をより確実に防止することができる。
【００１９】
また、請求項３記載の処理装置、および請求項１０記載の検査装置では、各第２直流抵抗値の第１変動幅が第１閾値以下のときに第１処理を実行し、第１変動幅が第１閾値よりも大きいときに第３処理を実行する。したがって、この処理装置、検査装置および処理方法によれば、第２直流抵抗値の第１変動幅が第１閾値以下で接触抵抗値の時間的な変化が小さく、補正処理を実行することによって補正抵抗値が測定対象の実際の交流抵抗値よりも小さい値となる可能性が低いときだけ、第１処理を実行するため、補正抵抗値を用いて算出したＱ値の算出値が測定対象の実際のＱ値よりも大きな値となり、実際にはＱ値が小さい不良の測定対象が良品と誤判定される事態をより確実に防止することができる。また、この処理装置、検査装置および処理方法によれば、第１変動幅が第１閾値よりも大きいときには、第３測定処理、Ｑ値を算出する処理および測定対象の良否判定の処理を実行することなく第３処理を実行するため、測定対象の実際のＱ値よりも大きなＱ値が算出されたり、実際にはＱ値が小さい不良の測定対象が良品と誤判定されたりするような不要な処理のための時間の浪費を防止して、その分の処理時間を短縮することができる。
【００２０】
また、請求項４記載の処理装置、および請求項１０記載の検査装置によれば、各第２直流抵抗値の最小値を第３直流抵抗値として用いて第１処理を実行することにより、第３直流抵抗値を用いて補正した補正抵抗値が測定対象の実際の交流抵抗値よりも小さな値となることをより確実に防止することができる。
【００２１】
また、請求項５記載の処理装置、および請求項１０記載の検査装置では、時間的に互いに隣接する複数の第２直流抵抗値の最大値と最小値との差である第２変動幅が第２閾値以下となったとき以降に測定された第２直流抵抗値を用いて第１処理を実行し、第２変動幅が第２閾値以下とならなかったときに第２処理を実行する。したがって、この処理装置、検査装置および処理方法によれば、測定対象と測定用のプローブとの接触状態が良好な状態で安定したとき以降に測定された第２直流抵抗値を用いて補正処理を実行するため、補正抵抗値を用いて算出したＱ値の算出値が測定対象の実際のＱ値よりも大きな値となり、実際にはＱ値が小さい不良の測定対象が良品と誤判定される事態をより確実に防止することができる。
【００２２】
また、請求項６記載の処理装置、および請求項１０記載の検査装置では、時間的に互いに隣接する複数の第２直流抵抗値の最大値と最小値との差である第２変動幅が第２閾値以下となったとき以降に測定された第２直流抵抗値を用いて第１処理を実行し、第２変動幅が第２閾値以下とならなかったときに第３処理を実行する。したがって、この処理装置、検査装置および処理方法によれば、測定対象と測定用のプローブとの接触状態が良好な状態で安定したとき以降に測定された第２直流抵抗値を用いて補正処理を実行するため、補正抵抗値を用いて算出したＱ値の算出値が測定対象の実際のＱ値よりも大きな値となり、実際にはＱ値が小さい不良の測定対象が良品と誤判定される事態をより確実に防止することができる。また、この処理装置、検査装置および処理方法によれば、第２変動幅が第２閾値以下とならなかったときには、第３測定処理、Ｑ値を算出する処理および測定対象の良否判定の処理を実行することなく第３処理を実行するため、測定対象の実際のＱ値よりも大きなＱ値が算出されたり、実際にはＱ値が小さい不良の測定対象が良品と誤判定されたりするような不要な処理のための時間の浪費を防止して、その分の処理時間を短縮することができる。
【００２３】
また、請求項７記載の処理装置、および請求項１０記載の検査装置によれば、第２変動幅が第２閾値以下となったとき以降に測定された第２直流抵抗値の最小値を第３直流抵抗値として用いて第１処理を実行することにより、第３直流抵抗値を用いて補正した補正抵抗値が測定対象の実際の交流抵抗値よりも小さな値となることをより確実に防止することができる。
【００２４】
また、請求項８記載の処理装置、および請求項１０記載の検査装置では、補正処理において、差分値に０以上１以下の係数を乗じて得た値を交流抵抗値から差し引いて交流抵抗値を補正する。この場合、係数を乗じて得た値で補正した補正抵抗値は、差分値で補正した補正抵抗値よりも小さな値となることがない。このため、この処理装置、検査装置および処理方法によれば、補正抵抗値が測定対象の実際の交流抵抗値よりも小さな値となることを確実に回避することができる結果、Ｑ値の算出値が実際のＱ値よりも大きな値となる事態をさらに確実に防止することができる。
【００２５】
また、請求項９記載の処理装置、および請求項１０記載の検査装置では、差分値が予め設定された設定値よりも大きいときに第１処理を実行し、差分値が設定値以下のときには第２処理および第３処理のいずれか一方を実行する。このため、この処理装置、検査装置および処理方法によれば、例えば、良好な状態の測定用のプローブを使用したときに通常生じる接触抵抗値の上限値を設定値として設定することで、差分値が設定値よりも大きく、交流抵抗値を補正する必要性が高いときだけ補正処理を実行し、差分値が設定値以下で、交流抵抗値を補正する必要性が低いときには、補正処理を実行しない、またはＱ値の算出自体を行わないようにすることができる。したがって、この処理装置、検査装置および処理方法によれば、必要性が低い補正処理の実行によって実際のＱ値よりも大きなＱ値が算出され、実際にはＱ値が小さい不良の測定対象を良品と誤判定される事態を確実に防止することができる。
【図面の簡単な説明】
【００２６】
【図１】検査装置１の構成を示す構成図である。
【図２】第１測定処理を説明する説明図である。
【図３】第２測定処理および第３測定処理を説明する説明図である。
【図４】検査処理５０のフローチャートである。
【図５】算出処理７０のフローチャートである。
【図６】検査処理５０Ａのフローチャートである。
【図７】算出処理７０Ａのフローチャートである。
【図８】検査処理５０Ｂのフローチャートである。
【図９】算出処理７０Ｂのフローチャートである。
【図１０】検査処理５０Ｃのフローチャートである。
【図１１】算出処理７０Ｃのフローチャートである。
【発明を実施するための形態】
【００２７】
以下、処理装置、検査装置および処理方法の実施の形態について、添付図面を参照して説明する。
【００２８】
最初に、図１に示す検査装置１の構成について説明する。検査装置１は、検査装置の一例であって、測定対象の一例としてのインダクタ素子１００のＱ値を算出すると共に、Ｑ値の算出値Ｑｃに基づいてインダクタ素子１００の良否を検査可能に構成されている。具体的には、検査装置１は、同図に示すように、第１測定部１１、第２測定部１２、操作部１３、記憶部１４、表示部１５、搬送機構１６および処理部１７を備えて構成されている。この場合、検査装置１のうちの後述する検査機能を除く部分によって処理装置が構成される。
【００２９】
第１測定部１１は、プローブ３１ａ〜３１ｄを移動させる図外の移動機構と、電流出力部１１ａおよび電圧検出部１１ｂ（図２参照）とを備えて構成され、処理部１７の制御に従い、インダクタ素子１００の直流抵抗値Ｒｄ１（第１直流抵抗値に相当する）を４端子法で測定する第１測定処理を実行する。具体的には、第１測定処理において、第１測定部１１の移動機構が、同図に示すように、測定位置Ｐ１に搬送されたインダクタ素子１００の端子１０１ａにプローブ３１ａ，３１ｃを接触させると共に、インダクタ素子１００の端子１０１ｂにプローブ３１ｂ，３１ｄを接触させ、電流出力部１１ａが、直流電流を出力してプローブ３１ａ，３１ｂを介してインダクタ素子１００に供給し、電圧検出部１１ｂが、端子１０１ａ，１０１ｂ間の電圧値をプローブ３１ｃ，３１ｄを介して検出する。また、第１測定部１１は、検出した電圧値、および供給している直流電流の電流値に基づいて直流抵抗値Ｒｄ１を測定する。
【００３０】
第２測定部１２は、プローブ３２ａ，３２ｂを移動させる図外の移動機構と、電流出力部１２ａおよび電圧検出部１２ｂ（図３参照）とを備えて構成され、処理部１７の制御に従い、インダクタ素子１００の直流抵抗値Ｒｄ２（第２直流抵抗値に相当する）を２端子法で測定する第２測定処理、およびインダクタ素子１００の交流抵抗値Ｒａ（実効抵抗値）およびインダクタンス値Ｌをそれぞれ２端子法で測定する第３測定処理を実行する。具体的には、第２測定処理において、第２測定部１２の移動機構が、同図に示すように、測定位置Ｐ２に搬送されたインダクタ素子１００の端子１０１ａ，１０１ｂにプローブ３２ａ，３２ｂをそれぞれ接触させ、電流出力部１２ａが、直流電流を出力してプローブ３２ａ，３２ｂを介してインダクタ素子１００に供給し、電圧検出部１１ｂが、端子１０１ａ，１０１ｂ間の電圧値をプローブ３２ａ，３２ｂを介して検出する。また、第２測定部１２は、検出した電圧値、および供給している直流電流の電流値に基づいて直流抵抗値Ｒｄ２を測定する。
【００３１】
また、第３測定処理において、第２測定部１２の移動機構が、インダクタ素子１００の端子１０１ａ，１０１ｂにプローブ３２ａ，３２ｂをそれぞれ接触させた状態を維持し（図３参照）、電流出力部１２ａが、交流電流を出力してプローブ３２ａ，３２ｂを介してインダクタ素子１００に供給し、電圧検出部１２ｂが、端子１０１ａ，１０１ｂ間の交流電圧値をプローブ３２ａ，３２ｂを介して検出する。また、第２測定部１２は、交流電圧値（電圧実効値）、供給している交流電流の交流電流値（電流実効値）、および交流電圧と交流電流との位相差に基づいて交流抵抗値Ｒａおよびインダクタンス値Ｌを測定する。
【００３２】
操作部１３は、各種のボタンやキーを備えて構成され、これらが操作されたときに操作信号を出力する。
【００３３】
記憶部１４は、第１測定部１１によって測定された直流抵抗値Ｒｄ１を記憶すると共に、第２測定部１２によって測定された直流抵抗値Ｒｄ２、交流抵抗値Ｒａおよびインダクタンス値Ｌを記憶する。また、記憶部１４は、処理部１７によって実行される後述する検査処理５０において算出されるＱ値の算出値Ｑｃを記憶する。また、記憶部１４は、検査処理５０において用いる閾値Ｒｔ１（第１閾値に相当する），Ｑ値の基準値Ｑｒ、並びに検査処理５０において実行される算出処理７０において用いる設定値Ｒｒおよび係数Ｋｃを記憶する。 
【００３４】
表示部１５は、処理部１７の制御に従い、処理部１７によって実行される検査処理５０において算出されるＱ値の算出値Ｑｃや、検査処理５０において検査されるインダクタ素子１００の良否の検査結果を表示する。
【００３５】
搬送機構１６は、処理部１７の制御に従い、図外の供給装置によってインダクタ素子１００が供給される供給位置、第１測定部１１によって第１測定処理が実行される測定位置Ｐ１（図２参照）、第２測定部１２によって第２測定処理および第３測定処理が実行される測定位置Ｐ２（図３参照）、並びに各測定処理および検査が終了したインダクタ素子１００が図外の搬出装置によって搬出される搬出位置にインダクタ素子１００を搬送する。
【００３６】
処理部１７は、操作部１３から出力される操作信号に従って検査装置１を構成する各構成要素を制御する。また、処理部１７は、図５に示す算出処理７０を実行して、直流抵抗値Ｒｄ１，Ｒｄ２、交流抵抗値Ｒａおよびインダクタンス値Ｌに基づいてインダクタ素子１００のＱ値を算出する。また、処理部１７は、検査部として機能し、図４に示す検査処理５０を実行して、Ｑ値の算出値Ｑｃに基づいてインダクタ素子１００の良否を検査する検査機能を有している。
【００３７】
次に、検査装置１を用いて測定対象としてのインダクタ素子１００のＱ値を算出する処理方法、およびＱ値の算出値Ｑｃに基づいてインダクタ素子１００の良否を検査する検査方法について図面を参照して説明する。
【００３８】
まず、操作部１３を操作して、検査の開始を指示する。この際に、操作部１３が操作信号を出力し、処理部１７が操作信号に従って図４に示す検査処理５０を実行する。この検査処理５０では、処理部１７は、搬送機構１６を制御して、図外の供給装置によって供給位置に供給されたインダクタ素子１００を図２に示す測定位置Ｐ１に搬送させる（ステップ５１）。
【００３９】
次いで、処理部１７は、第１測定部１１を制御して、第１測定処理を実行させる（ステップ５２）。この第１測定処理では、第１測定部１１は、図外の移動機構を作動させてプローブ３１ａ〜３１ｄを移動させ、図２に示すように、測定位置Ｐ１に搬送されたインダクタ素子１００の端子１０１ａにプローブ３１ａ，３１ｃを接触させると共に、インダクタ素子１００の端子１０１ｂにプローブ３１ｂ，３１ｄを接触させる。
【００４０】
続いて、第１測定部１１の電流出力部１１ａが、直流電流を出力してプローブ３１ａ，３１ｂを介してインダクタ素子１００に供給する。次いで、第１測定部１１の電圧検出部１１ｂが、端子１０１ａ，１０１ｂ間の電圧値をプローブ３１ｃ，３１ｄを介して検出する。続いて、第１測定部１１は、検出した電圧値、および供給している直流電流の電流値に基づいてインダクタ素子１００の直流抵抗値Ｒｄ１を測定する。次いで、処理部１７は、測定された直流抵抗値Ｒｄ１を記憶部１４に記憶させる。
【００４１】
この場合、上記したように４つのプローブ３１ａ〜３１ｄを用いる４端子法による抵抗測定では、プローブ３１ａ〜３１ｄと端子１０１ａ，１０１ｂとの接触部分に生じる接触抵抗の影響が十分に低く抑えられるため、接触抵抗の値（以下「接触抵抗値Ｒｃ」ともいう）が含まれていない（または、ほぼ含まれていない）直流抵抗値Ｒｄ１を測定することが可能となっている。
【００４２】
続いて、処理部１７は、搬送機構１６を制御して、インダクタ素子１００を測定位置Ｐ１から図３に示す測定位置Ｐ２に搬送させる（ステップ５３）。
【００４３】
次いで、処理部１７は、第２測定部１２を制御して、第２測定処理を予め規定された時間間隔で複数回（例えば、１０回）実行させる（ステップ５４）。この第２測定処理では、第２測定部１２は、図外の移動機構を作動させてプローブ３２ａ，３２ｂを移動させ、図３に示すように、測定位置Ｐ２に搬送されたインダクタ素子１００の端子１０１ａ，１０１ｂに、プローブ３２ａ，３２ｂをそれぞれ接触させる。
【００４４】
続いて、第２測定部１２の電流出力部１２ａが、直流電流を出力してプローブ３２ａ，３２ｂを介してインダクタ素子１００に供給する。次いで、電流出力部１２ａの電圧検出部１２ｂが、端子１０１ａ，１０１ｂ間の電圧値をプローブ３２ａ，３２ｂを介して検出する。続いて、第２測定部１２は、検出した電圧値、および供給している直流電流の電流値に基づいてインダクタ素子１００の直流抵抗値Ｒｄ２を測定する。また、処理部１７は、測定された直流抵抗値Ｒｄ２を記憶部１４に記憶させる。
【００４５】
この場合、上記したように２つのプローブ３２ａ，３２ｂを用いる２端子法による抵抗測定では、プローブ３２ａ，３２ｂと端子１０１ａ，１０１ｂとの接触部分に生じる接触抵抗の影響を抑えることができないため、直流抵抗値Ｒｄ２には接触抵抗値Ｒｃが含まれている。  
【００４６】
次いで、処理部１７は、第２測定部１２を制御して、第３測定処理を実行させる（ステップ５５）。この第３測定処理では、第２測定部１２は、図３に示すように、インダクタ素子１００の端子１０１ａ，１０１ｂにプローブ３２ａ，３２ｂをそれぞれ接触させた状態で、電流出力部１２ａが、交流電流を出力してプローブ３２ａ，３２ｂを介してインダクタ素子１００に供給する。続いて、電圧検出部１２ｂが、端子１０１ａ，１０１ｂ間の交流電圧値をプローブ３２ａ，３２ｂを介して検出する。次いで、第２測定部１２は、交流電圧値（電圧実効値）、供給している交流電流の交流電流値（電流実効値）、および交流電圧と交流電流との位相差に基づいてインダクタ素子１００の交流抵抗値Ｒａおよびインダクタンス値Ｌを測定する。続いて、処理部１７は、測定された交流抵抗値Ｒａおよびインダクタンス値Ｌを記憶部１４に記憶させる。
【００４７】
次いで、処理部１７は、算出処理７０を実行する（ステップ５６）。この算出処理７０では、処理部１７は、図５に示すように、記憶部１４に記憶されている直流抵抗値Ｒｄ２を読み出して、各直流抵抗値Ｒｄ２の変動幅Ｒｗ１（第１変動幅に相当する）、具体的には、各直流抵抗値Ｒｄ２の最大値と最小値との差分値を特定する（ステップ７１）。
【００４８】
続いて、処理部１７は、記憶部１４に記憶されている閾値Ｒｔ１を読み出して、変動幅Ｒｗ１が閾値Ｒｔ１以下であるか否かを判別する（ステップ７２）。この場合、良品のインダクタ素子１００における端子１０１ａ，１０１ｂにプローブ３２ａ，３２ｂが確実に接触している状態において第２測定処理を十分な回数実行して測定した各直流抵抗値Ｒｄ２の最大値と最小値との差分値（各直流抵抗値Ｒｄ２の変動幅）が閾値Ｒｔ１として予め設定されている。
【００４９】
処理部１７は、ステップ７２において、変動幅Ｒｗ１が閾値Ｒｔ１以下（第１状態に相当する）であると判別したときには、上記したステップ７１で読み出した各直流抵抗値Ｒｄ２の最小値（第３直流抵抗値に相当し、以下「直流抵抗値Ｒｄ２ｓ」ともいう）を特定する（ステップ７３）。
【００５０】
次いで、処理部１７は、記憶部１４に記憶されている直流抵抗値Ｒｄ１を読み出して、直流抵抗値Ｒｄ２ｓと直流抵抗値Ｒｄ１との差分値Ｒｍ（Ｒｄ２ｓ−Ｒｄ１）を算出する（ステップ７４）。この場合、上記したように、直流抵抗値Ｒｄ２ｓには接触抵抗値Ｒｃが含まれ、直流抵抗値Ｒｄ１には接触抵抗値Ｒｃが含まれていないため、差分値Ｒｍは、接触抵抗値Ｒｃに相当する。
【００５１】
続いて、処理部１７は、記憶部１４に記憶されている設定値Ｒｒを読み出して、差分値Ｒｍが設定値Ｒｒよりも大きいか否かを判別する（ステップ７５）。この場合、先端部が摩耗したり酸化したりしていない良好な状態のプローブ３２ａ，３２ｂを使用したときに通常生じる接触抵抗値Ｒｃの上限値が設定値Ｒｒとして予め設定されている。
【００５２】
処理部１７は、ステップ７５において、差分値Ｒｍが設定値Ｒｒよりも大きいと判別したときには、記憶部１４に記憶されている係数Ｋｃを読み出して、差分値Ｒｍに係数Ｋｃを乗算した補正値Ｒｍ’（Ｒｍ×Ｋｃ）を算出する（ステップ７６）。この場合、係数Ｋｃは、０以上１以下の範囲で任意に規定される。なお、係数Ｋｃを１に規定する（つまり、補正値Ｒｍ’を差分値Ｒｍとする）ことで、差分値Ｒｍをそのまま用いて後述する交流抵抗値Ｒａの補正を行うことができ、係数Ｋｃを０に規定する（つまり、補正値Ｒｍ’を０とする）ことで、交流抵抗値Ｒａの補正を行わないことができる。
【００５３】
次いで、処理部１７は、記憶部１４に記憶されている交流抵抗値Ｒａを読み出して、交流抵抗値Ｒａから補正値Ｒｍ’を減算して補正した補正抵抗値Ｒａ’を算出する補正処理を実行する（ステップ７７）。この場合、補正値Ｒｍ’は、上記したように、接触抵抗値Ｒｃに相当する差分値Ｒｍに係数Ｋｃを乗算した値であるため、交流抵抗値Ｒａから補正値Ｒｍ’を減算することで、交流抵抗値Ｒａから接触抵抗値Ｒｃに相当する抵抗値、または接触抵抗値Ｒｃよりも小さい抵抗値を除外することができる。
【００５４】
続いて、処理部１７は、補正抵抗値Ｒａ’を用いてインダクタ素子１００のＱ値を算出する第１処理を実行する（ステップ７８）。この場合、Ｑ値の算出値をＱｃとし、第３測定処理における交流電流の角周波数をωとし、インダクタ素子１００のインダクタンス値をＬとすると、Ｑｃ＝ωＬ／Ｒａ’となる。
【００５５】
ここで、例えば、インダクタ素子１００の端子１０１ａ，１０１ｂに対するプローブ３２ａ，３２ｂの接触状態が不良（不安定）で、接触抵抗値Ｒｃが時間経過に伴って変化するときには、交流抵抗値Ｒａを測定した時刻（第３測定処理を実行した時刻）と、直流抵抗値Ｒｄ２を測定した時刻（第２測定処理を実行した時刻）とが異なるため、直流抵抗値Ｒｄ２に含まれる接触抵抗値Ｒｃと交流抵抗値Ｒａに含まれる接触抵抗値Ｒｃとが異なることとなる。この場合、交流抵抗値Ｒａに含まれる接触抵抗値Ｒｃよりも大きい接触抵抗値Ｒｃを含んだ直流抵抗値Ｒｄ２と直流抵抗値Ｒｄ１との差分値Ｒｍに基づく補正値Ｒｍ’で交流抵抗値Ｒａを補正したときには、補正処理の実行による補正後の補正抵抗値Ｒａ’が、接触抵抗値Ｒｃを含まないインダクタ素子１００の実際の交流抵抗値Ｒａよりも小さい値となることがあり、このような補正抵抗値Ｒａ’を用いて算出したＱ値の算出値Ｑｃは、インダクタ素子１００の実際のＱ値よりも大きな値となる。このため、第２測定処理を１回だけ実行して測定した直流抵抗値Ｒｄ２を用いる構成および方法では、その直流抵抗値Ｒｄ２に含まれる接触抵抗値Ｒｃが交流抵抗値Ｒａに含まれる接触抵抗値Ｒｃよりも大きいときには、Ｑ値の算出値Ｑｃがインダクタ素子１００の実際のＱ値よりも大きな値となり、実際にはＱ値が小さい不良のインダクタ素子１００を良品と誤判定するおそれがある。
【００５６】
これに対して、この検査装置１では、上記したように、直流抵抗値Ｒｄ２の変動幅Ｒｗ１が閾値Ｒｔ１以下で接触抵抗値Ｒｃの時間的な変化が小さいとき、つまり補正処理を実行することによって補正抵抗値Ｒａ’がインダクタ素子１００の実際の交流抵抗値Ｒａよりも小さい値となる可能性が低いときに補正処理を実行する。このため、この検査装置１では、補正抵抗値Ｒａ’を用いて算出したＱ値の算出値Ｑｃがインダクタ素子１００の実際のＱ値よりも大きな値となり、実際にはＱ値が小さい不良のインダクタ素子１００が良品と誤判定される事態を確実に防止することが可能となっている。
【００５７】
一方、処理部１７は、上記したステップ７２において、変動幅Ｒｗ１が閾値Ｒｔ１よりも大きいと判別したときには、ステップ７３〜７７を実行することなく、補正処理前の交流抵抗値Ｒａを用いてインダクタ素子１００のＱ値を算出する第２処理を実行する（ステップ７８）。つまり、この検査装置１では、良品のインダクタ素子１００の端子１０１ａ，１０１ｂにプローブ３２ａ，３２ｂが確実に接触している状態における各直流抵抗値Ｒｄ２の変動幅に相当する閾値Ｒｔ１よりも変動幅Ｒｗ１が大きく、補正処理を実行することによって補正抵抗値Ｒａ’が実際の交流抵抗値Ｒａよりも小さい値となるおそれがあるときには、補正処理を実行することなく交流抵抗値Ｒａを用いてインダクタ素子１００のＱ値を算出する構成および方法が採用されている。
【００５８】
また、処理部１７は、上記したステップ７５において、差分値Ｒｍが設定値Ｒｒ以下であると判別したときには、ステップ７６，７７を実行することなく、補正処理前の交流抵抗値Ｒａを用いてインダクタ素子１００のＱ値を算出する第２処理を実行する（ステップ７８）。つまり、この検査装置１では、各直流抵抗値Ｒｄ２の変動幅Ｒｗ１が閾値Ｒｔ１以下で、かつ良好な状態のプローブ３２ａ，３２ｂを使用したときの接触抵抗値Ｒｃである設定値Ｒｒよりも差分値Ｒｍの方が大きく交流抵抗値Ｒａを補正する必要性が高いときだけ補正処理を実行し、変動幅Ｒｗ１が閾値Ｒｔ１以下であっても、差分値Ｒｍが設定値Ｒｒ以下で交流抵抗値Ｒａを補正する必要性が低いときには補正処理を実行しない構成および方法が採用されている。
【００５９】
次いで、処理部１７は、Ｑ値の算出値Ｑｃを記憶部１４に記憶させると共に、表示部１５に表示させて算出処理７０を終了し、続いて、図４に示す検査処理５０のステップ５７を実行する。このステップ５７では、処理部１７は、記憶部１４に記憶されている算出値Ｑｃおよび基準値Ｑｒを読み出して、算出値Ｑｃと基準値Ｑｒとを比較する。この場合、処理部１７は、算出値Ｑｃが基準値Ｑｒ以上のときには、インダクタ素子１００を良品と判定し、算出値Ｑｃが基準値Ｑｒ未満のときには、インダクタ素子１００を不良品と判定する。次いで、処理部１７は、検査結果（判定結果）を表示部１５に表示させる。
【００６０】
続いて、処理部１７は、搬送機構１６を制御して、インダクタ素子１００を測定位置Ｐ２から搬出位置に搬送させて（ステップ５８）、検査処理５０を終了する。
【００６１】
次に、処理部１７が、上記した検査処理５０および算出処理７０に代えて、図６，７にそれぞれ示す検査処理５０Ａおよび算出処理７０Ａを実行する構成および方法について説明する。なお、検査処理５０Ａおよび算出処理７０Ａにおいて、検査処理５０および算出処理７０のステップと同様の処理を行うステップについては、重複する説明を省略する。
【００６２】
この検査処理５０Ａでは、処理部１７は、検査処理５０におけるステップ５１〜５４と同様のステップ５１Ａ〜５４Ａ（図６参照）を実行した後に、上記した算出処理７０のステップ７１と同様に各直流抵抗値Ｒｄ２の変動幅Ｒｗ１を特定し（ステップ５５Ａ）、次いで算出処理７０のステップ７２と同様に変動幅Ｒｗ１が閾値Ｒｔ１以下であるか否かを判別する（ステップ５６Ａ）。
【００６３】
処理部１７は、ステップ５６Ａにおいて、変動幅Ｒｗ１が閾値Ｒｔ１以下であると判別したときには、検査処理５０のステップ５５と同様に第２測定部１２を制御して、第３測定処理を実行させ（ステップ５７Ａ）、続いて、図７に示す算出処理７０Ａを実行する（ステップ５８Ａ）。この算出処理７０Ａでは、処理部１７は、記憶部１４に記憶されている直流抵抗値Ｒｄ２を読み出し、次いで、算出処理７０のステップ７３と同様に各直流抵抗値Ｒｄ２の最小値（第３直流抵抗値に相当する）を特定する（ステップ７１Ａ）。続いて、算出処理７０のステップ７４〜７８と同様のステップ７２Ａ〜７６Ａを実行してＱ値を算出する（第１処理の実行）。
【００６４】
次いで、処理部１７は、Ｑ値の算出値Ｑｃを記憶部１４に記憶させると共に、表示部１５に表示させて算出処理７０Ａを終了し、続いて、図６に示す検査処理５０Ａのステップ５９Ａを実行する。このステップ５９Ａでは、処理部１７は、上記した検査処理５０のステップ５７と同様に算出値Ｑｃと基準値Ｑｒとを比較してインダクタ素子１００の良否判定の処理を実行し、検査結果（判定結果）を表示部１５に表示させる。次いで、処理部１７は、搬送機構１６を制御して、インダクタ素子１００を測定位置Ｐ２から搬出位置に搬送させて（ステップ６０Ａ）、検査処理５０Ａを終了する。
【００６５】
一方、処理部１７は、上記したステップ５６Ａにおいて、変動幅Ｒｗ１が閾値Ｒｔ１よりも大きいと判別したときには、ステップ５７Ａ〜５９Ａを実行することなく、つまり第３測定処理（ステップ５７Ａ）、算出処理７０Ａおよびインダクタ素子１００の良否判定の処理（ステップ５９Ａ）を実行することなく、Ｑ値を算出しない旨、およびインダクタ素子１００の良否判定の処理を実行しない旨を表示部１５に表示（報知）させる第３処理を実行する（ステップ６１Ａ）。続いて、処理部１７は、搬送機構１６を制御してインダクタ素子１００を測定位置Ｐ２から搬出位置に搬送させて（ステップ６０Ａ）、検査処理５０Ａを終了する。
【００６６】
検査処理５０Ａを実行する構成および方法では、直流抵抗値Ｒｄ２の変動幅Ｒｗ１が閾値Ｒｔ１以下で接触抵抗値Ｒｃの時間的な変化が小さいとき、つまり補正処理を実行することによって補正抵抗値Ｒａ’がインダクタ素子１００の実際の交流抵抗値Ｒａよりも小さい値となる可能性が低いときに補正処理を実行する。このため、この構成および方法においても、検査処理５０を実行する構成および方法と同様に、補正抵抗値Ｒａ’を用いて算出したＱ値の算出値Ｑｃがインダクタ素子１００の実際のＱ値よりも大きな値となり、実際にはＱ値が小さい不良のインダクタ素子１００が良品と誤判定される事態を確実に防止することが可能となっている。
【００６７】
また、検査処理５０Ａを実行する構成および方法では、変動幅Ｒｗ１が閾値Ｒｔ１よりも大きいときには、第３測定処理（ステップ５７Ａ）、算出処理７０Ａおよびインダクタ素子１００の良否判定の処理（ステップ５９Ａ）を実行することなく、その旨を報知する。したがって、インダクタ素子１００の実際のＱ値よりも大きな算出値Ｑｃが算出されたり、実際にはＱ値が小さい不良のインダクタ素子１００が良品と誤判定されたりするような不要な処理のための時間の浪費が防止されて、その分の処理時間を短縮することが可能となっている。
【００６８】
次に、処理部１７が、上記した検査処理５０および算出処理７０に代えて、図８，９にそれぞれ示す検査処理５０Ｂおよび算出処理７０Ｂを実行する構成および方法について説明する。なお、検査処理５０Ｂおよび算出処理７０Ｂにおいて、検査処理５０および算出処理７０のステップと同様の処理を行うステップについては、重複する説明を省略する。
【００６９】
この検査処理５０Ｂでは、処理部１７は、検査処理５０におけるステップ５１〜５５と同様のステップ５１Ｂ〜５５Ｂ（図８参照）を実行した後に、図９に示す算出処理７０Ｂを実行する（ステップ５６Ｂ）。この算出処理７０Ｂでは、処理部１７は、同図に示すように、記憶部１４に記憶されている各直流抵抗値Ｒｄ２を読み出して、各直流抵抗値Ｒｄ２の変動幅Ｒｗ２（第２変動幅に相当する）を特定する（ステップ７１Ｂ）。この場合、処理部１７は、一例として、各直流抵抗値Ｒｄ２の一部であって時間的に互いに隣接する複数（一例として、２つ）の直流抵抗値Ｒｄ２の最大値と最小値との差を変動幅Ｒｗ２として特定する処理を２つの直流抵抗値Ｒｄ２の組み合わせを変更して実行する。
【００７０】
次いで、処理部１７は、記憶部１４から閾値Ｒｔ２（第２閾値に相当する）を読み出して、閾値Ｒｔ２以下の変動幅Ｒｗ２が存在するか否かを判別する（ステップ７２Ｂ）。この場合、一例として、良品のインダクタ素子１００における端子１０１ａ，１０１ｂにプローブ３２ａ，３２ｂを確実に接触させた直後から直流抵抗値Ｒｄ２を一定の周期で測定したときの最初に測定した直流抵抗値Ｒｄ２とその次に測定した直流抵抗値Ｒｄ２との差の２０％の値が閾値Ｒｔ２として設定されている。つまり、端子１０１ａ，１０１ｂとプローブ３２ａ，３２ｂとが確実に接触して、時間経過伴ってその状態が安定したとき（プローブ３２ａ，３２ｂを介してインダクタ素子１００に供給される直流電流の供給状態が安定したとき）における変動幅Ｒｗ２の上限値が閾値Ｒｔ２として設定されている。
【００７１】
処理部１７は、ステップ７２Ｂにおいて、閾値Ｒｔ２以下の変動幅Ｒｗ２が存在する（第２状態に相当する）と判別したときには、変動幅Ｒｗ２が閾値Ｒｔ２以下となったとき以降に測定された直流抵抗値Ｒｄ２の最小値（第３直流抵抗値に相当する）を特定する（ステップ７３Ｂ）。続いて、処理部１７は、算出処理７０のステップ７４〜７８と同様のステップ７４Ｂ〜７８Ｂ（図９参照）を実行してＱ値を算出する（第１処理の実行）。
【００７２】
次いで、処理部１７は、Ｑ値の算出値Ｑｃを記憶部１４に記憶させると共に、表示部１５に表示させて算出処理７０Ｂを終了し、続いて、図８に示す検査処理５０Ｂのステップ５７Ｂを実行する。このステップ５７Ｂでは、処理部１７は、上記した検査処理５０のステップ５７と同様に算出値Ｑｃと基準値Ｑｒとを比較してインダクタ素子１００の良否判定の処理を実行し、検査結果（判定結果）を表示部１５に表示させる。次いで、処理部１７は、搬送機構１６を制御して、インダクタ素子１００を測定位置Ｐ２から搬出位置に搬送させて（ステップ５８Ｂ）、検査処理５０Ｂを終了する。
【００７３】
一方、処理部１７は、上記した算出処理７０Ｂのステップ７２Ｂにおいて、閾値Ｒｔ２以下の変動幅Ｒｗ２が存在しないと判別したときには、ステップ７３Ｂ〜７７Ｂを実行することなく、補正処理前の交流抵抗値Ｒａを用いてインダクタ素子１００のＱ値を算出する第２処理を実行する（ステップ７８Ｂ）。続いて、処理部１７は、Ｑ値の算出値Ｑｃを記憶部１４に記憶させると共に、表示部１５に表示させて算出処理７０Ｂを終了し、次いで、上記した検査処理５０のステップ５７，５８と同様の図８に示す検査処理５０Ｂのステップ５７Ｂ，５８Ｂを実行して検査処理５０Ｂを終了する。
【００７４】
検査処理５０Ｂを実行する構成および方法では、直流抵抗値Ｒｄ２の変動幅Ｒｗ２が閾値Ｒｔ２以下となったとき以降、つまり端子１０１ａ，１０１ｂとプローブ３２ａ，３２ｂとの接触状態が良好な状態で安定したとき以降に測定された直流抵抗値Ｒｄ２を用いて補正処理を実行する。このため、この構成および方法においても、検査処理５０，５０Ａを実行する構成および方法と同様に、補正抵抗値Ｒａ’を用いて算出したＱ値の算出値Ｑｃがインダクタ素子１００の実際のＱ値よりも大きな値となり、実際にはＱ値が小さい不良のインダクタ素子１００が良品と誤判定される事態を確実に防止することが可能となっている。
【００７５】
また、検査処理５０Ｂを実行する構成および方法では、閾値Ｒｔ２以下の変動幅Ｒｗ２が存在しないときには、補正処理前の交流抵抗値Ｒａを用いてインダクタ素子１００のＱ値を算出する第２処理を実行する。このため、この構成および方法では、端子１０１ａ，１０１ｂとプローブ３２ａ，３２ｂとの接触状態が不安定な状態においては、補正処理を実行することなく交流抵抗値Ｒａを用いてインダクタ素子１００のＱ値を算出するため、補正抵抗値Ｒａ’を用いて算出したＱ値の算出値Ｑｃがインダクタ素子１００の実際のＱ値よりも大きな値となり、実際にはＱ値が小さい不良のインダクタ素子１００が良品と誤判定される事態をより確実に防止することが可能となっている。
【００７６】
次に、処理部１７が、上記した検査処理５０および算出処理７０に代えて、図１０，１１にそれぞれ示す検査処理５０Ｃおよび算出処理７０Ｃを実行する構成および方法について説明する。なお、検査処理５０Ｃおよび算出処理７０Ｃにおいて、検査処理５０および算出処理７０のステップと同様の処理を行うステップについては、重複する説明を省略する。
【００７７】
この検査処理５０Ｃでは、処理部１７は、検査処理５０におけるステップ５１〜５４と同様のステップ５１Ｃ〜５４Ｃ（図１０参照）を実行した後に、上記した算出処理７０Ｂのステップ７１Ｂと同様に各直流抵抗値Ｒｄ２の変動幅Ｒｗ１を特定し（ステップ５５Ｃ）、続いて算出処理７０Ｂのステップ７２Ｂと同様に閾値Ｒｔ２以下の変動幅Ｒｗ２が存在するか否かを判別する（ステップ５６Ｃ）。
【００７８】
処理部１７は、ステップ５６Ｃにおいて、閾値Ｒｔ２以下の変動幅Ｒｗ２が存在すると判別したときには、検査処理５０のステップ５５と同様に第２測定部１２を制御して、第３測定処理を実行させ（ステップ５７Ｃ）、次いで、図１１に示す算出処理７０Ｃを実行する（ステップ５８Ｃ）。この算出処理７０Ｃでは、処理部１７は、記憶部１４に記憶されている直流抵抗値Ｒｄ２を読み出し、続いて、算出処理７０Ｂのステップ７３Ｂと同様に変動幅Ｒｗ２が閾値Ｒｔ２以下となったとき以降に測定された直流抵抗値Ｒｄ２の最小値（第３直流抵抗値に相当する）を特定する（ステップ７１Ｃ）。次いで、算出処理７０のステップ７４〜７８と同様のステップ７２Ｃ〜７６Ｃを実行してＱ値を算出する（第１処理の実行）。
【００７９】
続いて、処理部１７は、Ｑ値の算出値Ｑｃを記憶部１４に記憶させると共に、表示部１５に表示させて算出処理７０Ｃを終了し、次いで、上記した検査処理５０のステップ５７，５８と同様の図１０に示す検査処理５０Ｃのステップ５９Ｃ，６０Ｃを実行し、検査処理５０Ｃを終了する。
【００８０】
一方、処理部１７は、上記したステップ５６Ｃにおいて、閾値Ｒｔ２以下の変動幅Ｒｗ２が存在しないと判別したときには、ステップ５７Ｃ〜５９Ｃを実行することなく、つまり第３測定処理（ステップ５７Ｃ）、算出処理７０Ｃおよびインダクタ素子１００の良否判定の処理（ステップ５９Ｃ）を実行することなく、Ｑ値を算出しない旨、およびインダクタ素子１００の良否判定の処理を実行しない旨を表示部１５に表示（報知）させる第３処理を実行する（ステップ６１Ｃ）。続いて、処理部１７は、検査処理５０のステップ５８と同様に、搬送機構１６を制御してインダクタ素子１００を測定位置Ｐ２から搬出位置に搬送させて（ステップ６０Ｃ）、検査処理５０Ｃを終了する。
【００８１】
検査処理５０Ｃを実行する構成および方法では、直流抵抗値Ｒｄ２の変動幅Ｒｗ２が閾値Ｒｔ２以下となったとき以降、つまり端子１０１ａ，１０１ｂとプローブ３２ａ，３２ｂとの接触状態が良好な状態で安定したとき以降に測定された直流抵抗値Ｒｄ２を用いて補正処理を実行する。このため、この構成および方法においても、検査処理５０，５０Ａ，５０Ｂを実行する構成および方法と同様に、補正抵抗値Ｒａ’を用いて算出したＱ値の算出値Ｑｃがインダクタ素子１００の実際のＱ値よりも大きな値となり、実際にはＱ値が小さい不良のインダクタ素子１００が良品と誤判定される事態を確実に防止することが可能となっている。
【００８２】
また、検査処理５０Ｃを実行する構成および方法では、閾値Ｒｔ２以下の変動幅Ｒｗ２が存在しないときには、第３測定処理（ステップ５７Ｃ）、算出処理７０Ｃおよびインダクタ素子１００の良否判定の処理（ステップ５９Ｃ）を実行することなくその旨を報知するため、インダクタ素子１００の実際のＱ値よりも大きな算出値Ｑｃが算出されたり、実際にはＱ値が小さい不良のインダクタ素子１００が良品と誤判定されたりするような不要な処理のための時間の浪費が防止されて、その分の処理時間を短縮することが可能となっている。
【００８３】
このように、この処理装置、検査装置１および処理方法では、複数回の第２測定処理によって測定された各直流抵抗値Ｒｄ２の変化状態を特定し、交流抵抗値Ｒａを補正した補正抵抗値Ｒａ’を用いてＱ値を算出する第１処理、交流抵抗値Ｒａを用いてＱ値を算出する第２処理、およびＱ値を算出することなくＱ値を算出しない旨を報知する第３処理のいずれか１つを各直流抵抗値Ｒｄ２の変化状態に応じて実行する。この場合、インダクタ素子１００の端子１０１ａ，１０１ｂに対するプローブ３２ａ，３２ｂの接触状態が不良で、接触抵抗値Ｒｃが時間経過に伴って変化する場合において、直流抵抗値Ｒｄ２に含まれる接触抵抗値Ｒｃが交流抵抗値Ｒａに含まれる接触抵抗値Ｒｃよりも大きいときには、その直流抵抗値Ｒｄ２を用いて補正した補正抵抗値Ｒａ’が、インダクタ素子１００の実際の交流抵抗値Ｒａよりも小さい値となることがあり、この補正抵抗値Ｒａ’を用いて算出したＱ値の算出値Ｑｃがインダクタ素子１００の実際のＱ値よりも大きな値となる結果、実際にはＱ値が小さい不良のインダクタ素子１００を良品と誤判定するおそれがある。これに対して、この処理装置、検査装置１および処理方法では、各直流抵抗値Ｒｄ２の変化状態応じて第１処理、第２処理および第３処理を使い分けるため、補正した補正抵抗値Ｒａ’がインダクタ素子１００の実際の交流抵抗値Ｒａよりも小さい値となる可能性が低いときだけ補正抵抗値Ｒａ’を用いてＱ値を算出する第１処理を実行することで、算出した算出値Ｑｃがインダクタ素子１００の実際のＱ値よりも大きな値となり、実際にはＱ値が小さい不良のインダクタ素子１００が良品と誤判定される事態を確実に防止することが可能となっている。したがって、この処理装置、検査装置１および処理方法によれば、Ｑ値を用いたインダクタ素子１００の良否検査における検査精度を十分に向上させることが可能なＱ値を算出することができる。
【００８４】
また、この処理装置、検査装置１および処理方法では、各直流抵抗値Ｒｄ２の変動幅Ｒｗ１が閾値Ｒｔ１以下のときに第１処理を実行し、変動幅Ｒｗ１が閾値Ｒｔ１よりも大きいときに第２処理を実行する。したがって、この処理装置、検査装置１および処理方法によれば、直流抵抗値Ｒｄ２の変動幅Ｒｗ１が閾値Ｒｔ１以下で接触抵抗値Ｒｃの時間的な変化が小さく補正処理を実行することによって補正抵抗値Ｒａ’がインダクタ素子１００の実際の交流抵抗値Ｒａよりも小さい値となる可能性が低いときだけ、第１処理を実行するため、補正抵抗値Ｒａ’を用いて算出したＱ値の算出値Ｑｃがインダクタ素子１００の実際のＱ値よりも大きな値となり、実際にはＱ値が小さい不良のインダクタ素子１００が良品と誤判定される事態をより確実に防止することができる。
【００８５】
また、この処理装置、検査装置１および処理方法では、各直流抵抗値Ｒｄ２の変動幅Ｒｗ１が閾値Ｒｔ１以下のときに第１処理を実行し、変動幅Ｒｗ１が閾値Ｒｔ１よりも大きいときに第３処理を実行する。したがって、この処理装置、検査装置１および処理方法によれば、直流抵抗値Ｒｄ２の変動幅Ｒｗ１が閾値Ｒｔ１以下で接触抵抗値Ｒｃの時間的な変化が小さく補正処理を実行することによって補正抵抗値Ｒａ’がインダクタ素子１００の実際の交流抵抗値Ｒａよりも小さい値となる可能性が低いときだけ、第１処理を実行するため、補正抵抗値Ｒａ’を用いて算出したＱ値の算出値Ｑｃがインダクタ素子１００の実際のＱ値よりも大きな値となり、実際にはＱ値が小さい不良のインダクタ素子１００が良品と誤判定される事態をより確実に防止することができる。また、この処理装置、検査装置１および処理方法によれば、変動幅Ｒｗ１が閾値Ｒｔ１よりも大きいときには、第３測定処理、Ｑ値を算出する処理およびインダクタ素子１００の良否判定の処理を実行することなく第３処理を実行するため、インダクタ素子１００の実際のＱ値よりも大きな算出値Ｑｃが算出されたり、実際にはＱ値が小さい不良のインダクタ素子１００が良品と誤判定されたりするような不要な処理のための時間の浪費を防止して、その分の処理時間を短縮することができる。
【００８６】
また、この処理装置、検査装置１および処理方法によれば、各直流抵抗値Ｒｄ２の最小値を用いて第１処理を実行することにより、第３直流抵抗値を用いて補正した補正抵抗値Ｒａ’がインダクタ素子１００の実際の交流抵抗値Ｒａよりも小さな値となることをより確実に防止することができる。
【００８７】
また、この処理装置、検査装置１および処理方法では、時間的に互いに隣接する複数の直流抵抗値Ｒｄ２の最大値と最小値との差である変動幅Ｒｗ２が閾値Ｒｔ２以下となったとき以降に測定された直流抵抗値Ｒｄ２を用いて第１処理を実行し、変動幅Ｒｗ２が閾値Ｒｔ２以下とならなかったときに第２処理を実行する。したがって、この処理装置、検査装置１および処理方法によれば、インダクタ素子１００の端子１０１ａ，１０１ｂとプローブ３２ａ，３２ｂとの接触状態が良好な状態で安定したとき以降に測定された直流抵抗値Ｒｄ２を用いて補正処理を実行するため、補正抵抗値Ｒａ’を用いて算出したＱ値の算出値Ｑｃがインダクタ素子１００の実際のＱ値よりも大きな値となり、実際にはＱ値が小さい不良のインダクタ素子１００が良品と誤判定される事態をより確実に防止することができる。
【００８８】
また、この処理装置、検査装置１および処理方法では、時間的に互いに隣接する複数の直流抵抗値Ｒｄ２の最大値と最小値との差である変動幅Ｒｗ２が閾値Ｒｔ２以下となったとき以降に測定された直流抵抗値Ｒｄ２を用いて第１処理を実行し、変動幅Ｒｗ２が閾値Ｒｔ２以下とならなかったときに第３処理を実行する。したがって、この処理装置、検査装置１および処理方法によれば、インダクタ素子１００の端子１０１ａ，１０１ｂとプローブ３２ａ，３２ｂとの接触状態が良好な状態で安定したとき以降に測定された直流抵抗値Ｒｄ２を用いて補正処理を実行するため、補正抵抗値Ｒａ’を用いて算出したＱ値の算出値Ｑｃがインダクタ素子１００の実際のＱ値よりも大きな値となり、実際にはＱ値が小さい不良のインダクタ素子１００が良品と誤判定される事態をより確実に防止することができる。また、この処理装置、検査装置１および処理方法によれば、変動幅Ｒｗ２が閾値Ｒｔ２以下とならなかったときには、第３測定処理、Ｑ値を算出する処理およびインダクタ素子１００の良否判定の処理を実行することなく第３処理を実行するため、インダクタ素子１００の実際のＱ値よりも大きな算出値Ｑｃが算出されたり、実際にはＱ値が小さい不良のインダクタ素子１００が良品と誤判定されたりするような不要な処理のための時間の浪費を防止して、その分の処理時間を短縮することができる。
【００８９】
また、この処理装置、検査装置１および処理方法によれば、変動幅Ｒｗ２が閾値Ｒｔ２以下となったとき以降に測定された直流抵抗値Ｒｄ２の最小値を用いて第１処理を実行することにより、第３直流抵抗値を用いて補正した補正抵抗値Ｒａ’がインダクタ素子１００の実際の交流抵抗値Ｒａよりも小さな値となることをより確実に防止することができる。
【００９０】
また、この処理装置、検査装置１および処理方法では、補正処理において、差分値Ｒｍに０以上１以下の係数Ｋｃを乗じて得た補正値Ｒｍ’を交流抵抗値Ｒａから差し引いて交流抵抗値Ｒａを補正する。この場合、補正値Ｒｍ’で補正した補正抵抗値Ｒａ’は、差分値Ｒｍで補正した補正抵抗値Ｒａ’よりも小さな値となることがない。このため、この処理装置、検査装置１および処理方法によれば、補正抵抗値Ｒａ’がインダクタ素子１００の実際の交流抵抗値Ｒａよりも小さな値となることを確実に回避することができる結果、Ｑ値の算出値Ｑｃが実際のＱ値よりも大きな値となる事態をさらに確実に防止することができる。
【００９１】
また、この処理装置、検査装置１および処理方法では、差分値Ｒｍが予め設定された設定値Ｒｒよりも大きいときに第１処理を実行し、差分値Ｒｍが設定値Ｒｒ以下のときには第２処理を実行する（または、後述するように、第２処理に代えて第３処理を実行する。つまり、第２処理および第３処理のいずれか一方を実行する）。このため、この処理装置、検査装置１および処理方法によれば、例えば、良好な状態のプローブ３２ａ，３２ｂを使用したときに通常生じる接触抵抗値Ｒｃの上限値を設定値Ｒｒとして設定することで、差分値Ｒｍが設定値Ｒｒよりも大きく、交流抵抗値Ｒａを補正する必要性が高いときだけ補正処理を実行し、差分値Ｒｍが設定値Ｒｒ以下で、交流抵抗値Ｒａを補正する必要性が低いときには、補正処理を実行しない、またはＱ値の算出自体を行わないようにすることができる。したがって、この処理装置、検査装置１および処理方法によれば、必要性が低い補正処理の実行によって実際のＱ値よりも大きな算出値Ｑｃが算出され、実際にはＱ値が小さい不良のインダクタ素子１００を良品と誤判定される事態を確実に防止することができる。
【００９２】
なお、処理装置、検査装置１および処理方法は、上記の構成および方法に限定されない。例えば、対象の直流抵抗値Ｒｄ２の最小値を第３直流抵抗値として用いる例について上記したが、対象の直流抵抗値Ｒｄ２の平均値を第３直流抵抗値として用いる構成および方法を採用することもできる。
【００９３】
また、時間的に互いに隣接する２つの直流抵抗値Ｒｄ２の最大値と最小値との差を変動幅Ｒｗ２とする例について上記したが、時間的に互いに隣接する３つ以上の直流抵抗値Ｒｄ２の最大値と最小値との差を変動幅Ｒｗ２とする構成および方法を採用することもできる。
【００９４】
また、差分値Ｒｍが設定値Ｒｒよりも大きいときに第１処理を実行し、差分値Ｒｍが設定値Ｒｒ以下のときに第２処理を実行する例について上記したが、差分値Ｒｍが設定値Ｒｒ以下のときに第２処理に代えて第３処理を実行する構成および方法を採用することもできる。
【００９５】
また、算出処理７０において、差分値Ｒｍに係数Ｋｃを乗算して補正値Ｒｍ’を算出し、補正値Ｒｍ’で交流抵抗値Ｒａを補正する例について上記したが、係数Ｋｃを乗算する処理を行わずに、差分値Ｒｍをそのまま用いて交流抵抗値Ｒａを補正する構成および方法を採用することもできる。
【００９６】
また、算出処理７０〜７０Ｃにおいて、差分値Ｒｍが設定値Ｒｒよりも大きいか否かを判別し、差分値Ｒｍが設定値Ｒｒよりも大きいときにのみ補正処理を実行する構成および方法について上記したが、この判別処理を行わずに、常に補正処理を実行する構成および方法を採用することもできる。
【００９７】
また、搬送機構１６を備えてインダクタ素子１００を自動的に搬送する検査装置１に適用した例について上記したが、搬送機構１６を備えずに、手動で搬送したインダクタ素子１００を検査する検査装置に適用することもできる。また、第１測定部１１および第２測定部１２が移動機構を備えて、移動機構によってプローブ３１ａ〜３１ｄやプローブ３２ａ，３２ｂをインダクタ素子１００の端子１０１ａ，１０１ｂに接触させる例について上記したが、プローブ３１ａ〜３１ｄやプローブ３２ａ，３２ｂを端子１０１ａ，１０１ｂに手動で接触させる構成および方法を採用することもできる。
【００９８】
また、Ｑ値に基づいてインダクタ素子１００を検査する検査装置１に適用した例について上記したが、検査機能を有していない（Ｑ値を算出する機能のみを有する）処理装置に適用することもできる。
【００９９】
また、測定対象は、上記したインダクタ素子１００に限定されず、良否検査にＱ値を用いる各種の電子部品を測定対象とすることができる。
【符号の説明】
【０１００】
１  検査装置
１１  第１測定部
１２  第２測定部
１７  処理部
１００  インダクタ素子
Ｋｃ  係数
Ｌ  インダクタンス値
Ｑｃ  算出値
Ｒａ  交流抵抗値
Ｒａ’  補正抵抗値
Ｒｄ１  直流抵抗値
Ｒｄ２  直流抵抗値
Ｒｄ２ｓ  直流抵抗値
Ｒｍ  差分値
Ｒｒ  設定値
Ｒｔ１  閾値
Ｒｔ２  閾値
Ｒｗ１  変動幅
Ｒｗ２  変動幅
【図１】
2019090757.tif 000003
【図２】
2019090757.tif 000004
【図３】
2019090757.tif 000005
【図４】
2019090757.tif 000006
【図５】
2019090757.tif 000007
【図６】
2019090757.tif 000008
【図７】
2019090757.tif 000009
【図８】
2019090757.tif 000010
【図９】
2019090757.tif 000011
【図１０】
2019090757.tif 000012
【図１１】
2019090757.tif 000013